(57)【特許請求の範囲】
【請求項１】
建物開口部に設けられる枠体に障子を開閉自在に納め、該障子の下辺と対向する前記枠体の横枠の室内側に前記障子を開閉させる開閉装置を設けたサッシ窓において、
前記横枠は金属枠の室内側に樹脂枠が配設されてなり、前記横枠の室内側には前記開閉装置を納める開閉装置収納部が設けられ、
前記横枠を構成する樹脂枠は前記開閉装置収納部の室内側に露出する面を構成する被覆部と、前記障子の室内側に配置される網戸の縁部を保持する網戸保持部とを有し、前記被覆部は前記網戸保持部の室内側に配置され、前記開閉装置収納部は上方開放状の金属部を有し、該金属部の室内面上端より室内側には額縁材が配置され、前記樹脂枠の被覆部は前記金属部の上面を覆うように設けられると共に、前記額縁材と前記被覆部とが略面一状に配置されてなることを特徴とするサッシ窓。
【請求項２】
前記樹脂枠の被覆部は室内側端部から室内側に延びて前記額縁材に当接するアングル片を有し、前記額縁材とアングル片を含む被覆部及び前記網戸保持部が略面一状に配置されてなることを特徴とする請求項１記載のサッシ窓。
【請求項３】
前記樹脂枠の被覆部は前記枠体を構成する左右の縦枠間に渡って連続状に設けられることを特徴とする請求項２記載のサッシ窓。
【請求項４】
前記樹脂枠の被覆部とアングル片の上面は面一状に形成されてなることを特徴とする請求項２または３記載のサッシ窓。
【請求項５】
前記枠体は上下方向中間位置に前記横枠として中間枠を有し、該中間枠の上方と下方にそれぞれ障子が設けられ、前記中間枠には室内側面を覆うように樹脂カバー体が設けられ、
前記中間枠に設けられる樹脂枠の被覆部は前記開閉装置収納部の上面と室内側面及び下面を構成し、下面において前記樹脂カバー体と連続状とされることを特徴とする請求項１記載のサッシ窓。
【発明の詳細な説明】
【技術分野】
【０００１】
本発明は建物開口部に設けられる枠体内に障子を納めてなるサッシ窓に関し、特に枠体の室内側に障子を開閉するための開閉装置が設けられるサッシ窓に関する。
【背景技術】
【０００２】
従来、建物開口部に枠体を設け、その枠体内に障子を開閉自在に納めてなるサッシ窓が知られている。障子を枠体に対して開閉自在としたサッシ窓としては、突き出し窓、辷り出し窓、外倒し窓等があり、これらのサッシ窓においては障子を開閉させるための開閉装置が枠体の室内側に配置される。開閉装置は、枠体のうち下辺を構成する枠材の室内側に設けられ、それが室内側に直接露出しないように枠体には開閉装置収納部が設けられる。このようなサッシ窓としては、例えば特許文献１に挙げるようなものがある。
【特許文献１】特開２００７−３２２１０号公報
【発明の開示】
【発明が解決しようとする課題】
【０００３】
従来の開閉装置を備えたサッシ窓は、開閉装置収納部が単に開閉装置を覆うように設けられているに留まり、枠体の室内側に設けられる額縁材や網戸などその周囲に設けられる部材との外観上の調和は図られていなかった。このため、意匠性が必ずしも高いものではなく、また断熱性の面からもこれが充分確保されているとは言えないものであった。
【０００４】
本発明は、前記課題を解決すべくなされたものであり、開閉装置を備えていても枠体全体を調和させて意匠性を向上させると共に、断熱性の向上を図ったサッシ窓を提供することを目的とする。
【課題を解決するための手段】
【０００５】
前記課題を解決するため、本発明に係るサッシ窓は、建物開口部に設けられる枠体に障子を開閉自在に納め、該障子の下辺と対向する前記枠体の横枠の室内側に前記障子を開閉させる開閉装置を設けたサッシ窓において、
前記横枠は金属枠の室内側に樹脂枠が配設されてなり、前記横枠の室内側には前記開閉装置を納める開閉装置収納部が設けられ、
前記横枠を構成する樹脂枠は前記開閉装置収納部の室内側に露出する面を構成する被覆部と、前記障子の室内側に配置される網戸の縁部を保持する網戸保持部とを有し、前記被覆部は前記網戸保持部の室内側に配置され、前記開閉装置収納部は上方開放状の金属部を有し、該金属部の室内面上端より室内側には額縁材が配置され、前記樹脂枠の被覆部は前記金属部の上面を覆うように設けられると共に、前記額縁材と前記被覆部とが略面一状に配置されてなることを特徴として構成されている。
【０００６】
また、本発明に係るサッシ窓は、前記樹脂枠の被覆部は室内側端部から室内側に延びて前記額縁材に当接するアングル片を有し、前記額縁材とアングル片を含む被覆部及び前記網戸保持部が略面一状に配置されてなることを特徴として構成されている。
【０００７】
さらに、本発明に係るサッシ窓は、前記樹脂枠の被覆部は前記枠体を構成する左右の縦枠間に渡って連続状に設けられることを特徴として構成されている。
【０００８】
さらにまた、本発明に係るサッシ窓は、前記樹脂枠の被覆部とアングル片の上面は面一状に形成されてなることを特徴として構成されている。
【０００９】
そして、本発明に係るサッシ窓は、前記枠体は上下方向中間位置に前記横枠として中間枠を有し、該中間枠の上方と下方にそれぞれ障子が設けられ、前記中間枠には室内側面を覆うように樹脂カバー体が設けられ、
前記中間枠に設けられる樹脂枠の被覆部は前記開閉装置収納部の上面と室内側面及び下面を構成し、下面において前記樹脂カバー体と連続状とされることを特徴として構成されている。
【発明の効果】
【００１０】
本発明に係るサッシ窓によれば、横枠を構成する樹脂枠は開閉装置を納める開閉装置収納部の室内側に露出する面を構成する被覆部と、障子の室内側に配置される網戸の縁部を保持する網戸保持部とを有してなることにより、開閉装置を室内側に露出する側について樹脂材で覆うと共に、開閉装置収納部と網戸の取付部分との一体化を図ることができるので、開閉装置を備えていても枠体全体を調和させて意匠性を向上させると共に、断熱性を向上させることができる。
【００１１】
また、本発明に係るサッシ窓によれば、開閉装置収納部は上方開放状の金属部を有し、金属部の室内面上端より室内側には額縁材が配置され、樹脂枠の被覆部は金属部の上面を覆うように設けられると共に、室内側端部から室内側に延びて額縁材に当接するアングル片を有し、額縁材とアングル片を含む被覆部及び網戸保持部が略面一状に配置されてなることにより、網戸保持部から額縁材に渡って樹脂材が面一状に配置されるので、内観における統一感を持たせることができ、意匠性をさらに向上させることができる。
【００１２】
さらに、本発明に係るサッシ窓によれば、樹脂枠の被覆部は枠体を構成する左右の縦枠間に渡って連続状に設けられることにより、縦枠間の全領域について樹脂材が配設され、サッシ窓全体の統一感を損ねることがなく、意匠性を良好にすることができる。
【００１３】
さらにまた、本発明に係るサッシ窓によれば、樹脂枠の被覆部とアングル片の上面は面一状に形成されてなることにより、フラット感によりさらなる意匠性の向上を図ることができる。
【００１４】
そして、本発明に係るサッシ窓によれば、枠体は上下方向中間位置に横枠として中間枠を有し、中間枠の上方と下方にそれぞれ障子が設けられ、中間枠には室内側面を覆うように樹脂カバー体が設けられ、中間枠に設けられる樹脂枠の被覆部は開閉装置収納部の上面と室内側面及び下面を構成し、下面において樹脂カバー体と連続状とされることにより、上下方向に窓を連設する場合において、網戸の取付部分から開閉装置収納部及び樹脂カバー体に渡るまでを樹脂材が連続状に設けられるようにすることができるので、内観における統一感を持たせることができ、意匠性をさらに向上させることができる。
【発明を実施するための最良の形態】
【００１５】
本発明の実施形態について図面に沿って詳細に説明する。図１には本実施形態におけるサッシ窓の縦断面図を、図２には本実施形態におけるサッシ窓の横断面図を、それぞれ示している。これら各図に示すように、本実施形態のサッシ窓は、建物開口部に取付けられた枠体１内に、框体３内に複層ガラスからなるパネル体４を納めてなる障子２を開閉自在に納めてなり、横辷り出し窓として構成されている。また、枠体１は障子２の室内側に網戸７を保持している。
【００１６】
枠体１は、上枠１０と下枠１１及び左右の縦枠１２、１２を方形状に枠組みして構成されている。枠体１を構成する枠材には、いずれも金属材の室内側に樹脂材を配設した複合材が用いられており、上枠１０は金属上枠１０ａと樹脂上枠１０ｂにより、下枠１１は金属下枠１１ａと樹脂下枠１１ｂにより、縦枠１２は金属縦枠１２ａと樹脂縦枠１２ｂにより、それぞれ構成されている。
【００１７】
障子２を構成する框体３は、上框２０と下框２１及び左右の縦框２２、２２を方形状に框組みして構成されている。框体３を構成する各框材には、内周面にパネル体収納溝２３が形成されており、このパネル体収納溝２３にパネル体４の縁部が納められると共に、グレチャン２４を介して固定される。
【００１８】
枠体１の室内側には額縁材５が設けられる。枠体１のうち樹脂部分の室内端部には、四周に渡ってアングル片１３が形成されている。アングル片１３は、額縁材５の内周面に当接しネジ止め固定されている。
【００１９】
枠体１の下辺を構成し障子２の下辺と対向する横枠である下枠１１の室内側には、開閉装置６が設けられている。開閉装置６は縦枠１２に設けられるリンク部品６ａを介して障子２の縦框２２と連係しており、これが動作することにより障子２を室内外方向に開閉させることができる。なお、開閉装置６は電動により動作するが、上方に向かって突出した手動操作部６ｂを操作することにより、手動でも障子２を開閉することができるようにされている。
【００２０】
開閉装置６は、下枠１１の室内側に設けられる開閉装置収納部３０に納められる。開閉装置収納部３０は、金属下枠１１ａに対してネジ止め固定される金属部３１を有している。金属部３１は開閉装置収納部３０のうち上面以外の面を構成している。すなわち、金属部３１は上方に開放された略箱状の領域を有するように形成されており、この領域に開閉装置６が納められる。なお、前述の額縁材５は、金属部３１の室内面上端の室内側に配置される。したがって、開閉装置収納部３０は上方を向いた部分が室内側に露出することとなる。そして、開閉装置収納部３０の上面は、樹脂下枠１１ｂに形成される被覆部３２により覆われる。これによって、開閉装置収納部３０のうち室内側に露出する面は、樹脂下枠１１ｂの一部である被覆部３２によって構成される。
【００２１】
図２に示すように、樹脂下枠１１ｂの被覆部３２は、左右の縦枠１２間に渡るように形成されている。左右の縦枠１２間の領域のうち開閉装置収納部３０が形成されるのは一部であるのに対し、被覆部３２は左右の縦枠１２間の全長に渡るように形成されているので、サッシ窓全体の統一感を損ねることがなく、意匠性を良好にすることができる。
【００２２】
図１に示すように、被覆部３２は上面が平坦となるように形成されており、また上下２枚の板が中空部を介して対向した二重構造となっており、断熱性が高くなるようにしている。被覆部３２の室内側には前述のアングル片１３が連続状に形成され、アングル片１３の上面と被覆部３２の上面は面一状となるようにされている。なお、被覆部３２には１箇所に開口が形成されており、ここから開閉装置６の手動操作部６ｂが露出する。
【００２３】
また、樹脂下枠１１ｂには被覆部３２の室外側に網戸保持部３３が一体的に形成されている。網戸保持部３３は、凹状に形成されており、内部に網戸７の縁部が保持される。網戸保持部３３は上枠１０や縦枠１２にも形成されており、これらによって網戸７を保持するようにしている。
【００２４】
樹脂下枠１１ｂの網戸保持部３３は、被覆部３２やアングル片１３と見付方向において略同一面内となるように形成されている。これにより、室外側から順に網戸保持部３３、被覆部３２、アングル片１３、及び額縁材５が、略面一状となるように配置されていることとなる。このように、樹脂下枠１１ｂに被覆部３２と網戸保持部３３及びアングル片１３を一体的に形成し、網戸保持部３３から額縁材５に渡って面一状となるようにしたことにより、内観における統一感を持たせることができ、意匠性を向上させることができる。また、網戸７の位置から額縁材５までを連続的に樹脂材で被覆することとなるため、断熱性も向上させることができる。
【００２５】
次に、本発明の第２の実施形態について説明する。図３には本実施形態におけるサッシ窓の縦断面図を、図４には本実施形態におけるサッシ窓の上部横断面図を、図５には本実施形態におけるサッシ窓の下部横断面図を、それぞれ示している。本実施形態のサッシ窓は、枠体１内に障子２を納めている点では第１の実施形態と共通するが、枠体１に納められる障子２が上下２枚あり、上部の障子２は横辷り出し窓として、下部の障子２は嵌め殺し窓として、それぞれ構成されている点で異なっている。
【００２６】
枠体１は、上枠１０と下枠１１及び左右の縦枠１２、１２と、上下方向中間位置において左右の縦枠１２間に渡るように設けられる中間枠１４とからなっている。中間枠１４は、上部の横辷り出し窓の下枠として機能する下枠構成部１４ａと、下部の嵌め殺し窓の上枠として機能する上枠構成部１４ｂとからなっている。中間枠１４は金属材からなる金属中間枠１４ｃと、樹脂材からなり金属中間枠１４ｃの室内側に配設される樹脂中間枠１４ｄとからなると共に、下枠構成部１４ａから上枠構成部１４ｂに渡る金属中間枠１４ｃの室内側面には、樹脂カバー体１５が取付けられている。
【００２７】
枠体１を構成する上枠１０と下枠１１及び縦枠１２には、それぞれ金属材の室内側に樹脂材を配設した複合材が用いられている点で、第１の実施形態と共通する。また、障子２の構成については、第１の実施形態と同様であるので、説明を省略する。図４に示すように、横辷り出し窓における障子２の枠体１に対する納まりは第１の実施形態と同様である。図５に示すように、嵌め殺し窓において障子２は、固定金具４０によって枠体１に固定される。具体的には、固定金具４０の一端側が縦框２２の外周面に固定され、固定金具４０の他端側が縦枠１２の内周面側から固定される。
【００２８】
上部の横辷り出し窓の下枠に相当し、障子２の下辺と対向する横枠である中間枠１４の室内側には、開閉装置６が設けられ、さらに開閉装置６は開閉装置収納部３０に納められる。本実施形態の開閉装置収納部３０は、中間枠１４に対してネジ止め固定される金属部３１と、樹脂中間枠１４ｄの一部によって構成される。金属部３１は開閉装置収納部３０のうち下面及び室外側面を構成している。また、樹脂中間枠１４ｄには被覆部３２が形成され、被覆部３２は開閉装置収納部３０のうち上面と室内側面及び下面の一部を構成する。
【００２９】
樹脂中間枠１４ｄには、被覆部３２の上面の室外側に、網戸７を保持する凹部を有した網戸保持部３３が一体的に形成されている。網戸保持部３３と被覆部３２の上面は、略同一面内となるように配置されている。また、被覆部３２の下面は、室外端部が樹脂カバー体に当接し、連続状となっている。
【００３０】
このように、本実施形態においても横枠となる樹脂中間枠１４ｄに開閉装置収納部３０を構成する被覆部３２と網戸保持部３３とを一体的に形成し、さらに被覆部３２と網戸保持部３３は略同一面内となるように配置し、被覆部３２の下面においては樹脂カバー体１５と連続状となるようにしたので、内観における統一感を持たせることができ、意匠性を向上させることができる。また、開閉装置収納部３０と中間枠１４の室内側面を覆う樹脂カバー体１５とを連続的に樹脂材で被覆することとなるため、断熱性も向上させることができる。
【００３１】
以上、本発明の実施形態について説明したが、本発明の適用はこれら実施形態には限られず、その技術的思想の範囲内において様々に適用されうるものである。
【図面の簡単な説明】
【００３２】
【図１】第１の実施形態におけるサッシ窓の縦断面図である。
【図２】第１の実施形態におけるサッシ窓の横断面図である。
【図３】第２の実施形態におけるサッシ窓の縦断面図である。
【図４】第２の実施形態におけるサッシ窓の上部横断面図である。
【図５】第２の実施形態におけるサッシ窓の下部横断面図である。
【符号の説明】
【００３３】
１    枠体
２    障子
３    框体
４    パネル体
５    額縁材
６    開閉装置
７    網戸
１０    上枠
１１    下枠（横枠）
１１ａ  金属下枠
１１ｂ  樹脂下枠
１２    縦枠
１３    アングル片
１４    中間枠（横枠）
１４ａ  下枠構成部
１４ｂ  上枠構成部
１４ｃ  金属中間枠
１４ｄ  樹脂中間枠
１５    樹脂カバー体
３０    開閉装置収納部
３１    金属部
３２    被覆部
３３    網戸保持部
【図１】
0005283968.tif 000002
【図２】
0005283968.tif 000003
【図３】
0005283968.tif 000004
【図４】
0005283968.tif 000005
【図５】
0005283968.tif 000006